(57)【要約】【課題】臨時駐車場などで駐車エリア毎の使用状況情報をスムースに収集して効率的な管理運営を行い、また簡単に設営及び取り除きが可能な駐車場運営システムを提供する。【解決手段】利用者に渡され且つ回収される車載装置と、各駐車エリアに設けられた非接触ＩＣ媒体と、ホストコンピュータとからなり、前記非接触ＩＣ媒体には、ＩＤ情報が記憶された記憶手段を有し、車載装置には、前記ＩＤ情報を読み取る読取手段と、ホストコンピュータに前記ＩＤ情報を送信する送信手段と、記憶手段と、制御手段とを有し、前記ホストコンピュータには、前記ＩＤ情報と、駐車エリア特定情報と、該駐車エリアの使用状況情報と、が関連付けて登録される駐車エリア情報データベースと、車載装置からＩＤ情報を受信する受信手段と、受信したＩＤ情報に基づき駐車エリア情報データベースに使用を示す情報を記憶させる制御手段とを備えることを特徴とする。【選択図】        図１
2004164348.tif 000002
【特許請求の範囲】
【請求項１】
駐車場の入場ゲートで利用者に渡され、且つ退場ゲートで回収される車載装置と、駐車場内の各駐車エリアにそれぞれ設けられ、前記車載装置と通信可能な非接触ＩＣ媒体と、前記車載装置と通信可能に接続されたホストコンピュータとからなる駐車場運営システムであって、
前記非接触ＩＣ媒体には、ＩＤ情報が記憶された記憶手段を有し、
前記車載装置には、前記非接触ＩＣ媒体に記憶されたＩＤ情報を読み取る読取手段と、前記ホストコンピュータに前記ＩＤ情報を送信する送信手段と、記憶手段と、制御手段とを有し、
前記ホストコンピュータには、該駐車エリアに設けられている非接触ＩＣ媒体のＩＤ情報と、駐車エリアを特定する駐車エリア特定情報と、該駐車エリアの使用状況情報と、が関連付けられて登録される駐車エリア情報データベースと、前記車載装置から前記ＩＤ情報を受信する受信手段と、前記受信手段で受信したＩＤ情報に基づいて、前記駐車エリア情報データベースに該ＩＤ情報と関連付けられている駐車エリアの使用状況情報の記憶領域に使用を示す情報を記憶させる制御手段とを備えることを特徴とする駐車場運営システム。
【請求項２】
前記車載装置の制御手段は、前記車載装置の読取手段で読み取ったＩＤ情報を記憶手段に記憶させ、前記ホストコンピュータの制御手段は、同一のＩＤ情報を再度受信した場合には、前記駐車エリア情報データベースの使用状況情報の記憶領域を、使用から不使用に更新させる機能を有することを特徴とする請求項１記載の駐車場運営システム。
【請求項３】
前記非接触ＩＣ媒体が、非接触ＩＣタグであり、少なくとも前記非接触ＩＣタグが、駐車場内の各駐車エリアに移動可能に置かれているパイロンに設けられていることを特徴とする請求項１記載の駐車場運営システム。
【発明の詳細な説明】
【０００１】
【発明の属する技術分野】
本発明は、例えば種々のイベント等が開催される際に、撤去可能な状態で簡易に設けられる臨時駐車場に適するシステムであって、駐車場内の駐車エリアの使用状況情報をスムースに収集し、効率的な管理運営を行えるようにした駐車場運営システムに関する。
【０００２】
【従来の技術】
従来、時間貸しなどの駐車場の管理運営においては、例えば、現在その駐車場が満車の状態であるのか、どこの駐車エリアが空き状態で次に来た利用者に対して、どの駐車エリアを指定して案内したらよいのかなど、駐車場の運営に必要な情報を効率的に収集するシステムを採用する場合が多い。
特に大規模な駐車面積を有する駐車場を管理する場合には、機械的に駐車場内の駐車エリアの使用状況情報を入手し、効率的な管理を行うシステムが導入され、これにより利用客の車両をスムースに空き駐車エリアへ誘導できるようにしてあり、このようなシステムは、既に公知技術としても知られている。（例えば、特許文献１参照）
【０００３】
しかしながら、これらの公知のシステムは、駐車場専用施設として長期的に使用される場合を想定し、簡単には移動できないように固定されて設置するためのシステムであって、例えば種々のイベント等が開催される際に、一時的または短期間だけ簡易に設けられる臨時駐車場には、適さないものである。
特に大規模なイベントが行われる場合には、臨時駐車場も駐車場全体の面積も広くなり、車両の駐車エリアの数も多くなるので、人間が目視で駐車エリアの空き状況を確認して管理運営を行うのには、限界があり、空きエリアの見過ぎしによる人為的ミス等で稼働率が低下したり、そのための人件費の負担増などの問題がある。
また、従来の駐車場運営システムでは、設置や取り外しに時間、手間、コストなどがかかりすぎて、臨時駐車場に採用するのには不適応であるという問題がある。
【０００４】
【特許文献１】
特開２００１−１６７２９７号公報
【０００５】
【発明が解決しようとする課題】
本発明は、種々のイベント等が開催される際に一時的又は短期間だけ設けられる臨時駐車場において、駐車場内の駐車エリアにおける車両の使用や空きなどの使用状況情報をスムースに収集して、効率的な管理運営を行えるようにすると共に、これらのシステムを短時間で簡易に設営でき、臨時駐車場を止める場合にも簡単に取り除けるようにした駐車場運営システムを提供する。
【０００６】
【課題を解決するための手段】
本発明の駐車場運営システムは、駐車場の入場ゲートで利用者に渡され、且つ退場ゲートで回収される車載装置と、駐車場内の各駐車エリアにそれぞれ設けられ、前記車載装置と通信可能な非接触ＩＣ媒体と、前記車載装置と通信可能に接続されたホストコンピュータとからなる駐車場運営システムであって、前記非接触ＩＣ媒体には、ＩＤ情報が記憶された記憶手段を有し、前記車載装置には、前記非接触ＩＣ媒体に記憶されたＩＤ情報を読み取る読取手段と、前記ホストコンピュータに前記ＩＤ情報を送信する送信手段と、記憶手段と、制御手段とを有し、前記ホストコンピュータには、該駐車エリアに設けられている非接触ＩＣ媒体のＩＤ情報と、駐車エリアを特定する駐車エリア特定情報と、該駐車エリアの使用状況情報と、が関連付けられて登録される駐車エリア情報データベースと、前記車載装置から前記ＩＤ情報を受信する受信手段と、前記受信手段で受信したＩＤ情報に基づいて、前記駐車エリア情報データベースに該ＩＤ情報と関連付けられている駐車エリアの使用状況情報の記憶領域に使用を示す情報を記憶させる制御手段とを備えることを特徴とする。
【０００７】
また、本発明の駐車場運営システムは、前記車載装置の制御手段は、前記車載装置の読取手段で読み取ったＩＤ情報を記憶手段に記憶させ、前記ホストコンピュータの制御手段は、同一のＩＤ情報を再度受信した場合には、前記駐車エリア情報データベースの使用状況情報の記憶領域を、使用から不使用に更新させる機能を有することを特徴とする。
【０００８】
更に、本発明の駐車場運営システムは、前記非接触ＩＣ媒体が、非接触ＩＣタグであり、少なくとも前記非接触ＩＣタグが、駐車場内の各駐車エリアに移動可能に置かれているパイロンに設けられていることを特徴とする。
【０００９】
以下、本発明の実施の形態を図面に基づいて詳細に説明する。
図１は、本発明の実施形態に係る駐車場運営システムの全体レイアウト図、図２は、非接触ＩＣタグを内蔵させたパイロン取付具をパイロンにセットする前の状態を示す斜視図、図３は、非接触ＩＣタグを内蔵させたパイロン取付具をパイロンにセットした状態を示す斜視図、図４は、非接触ＩＣタグの例を示す平面図、図５は、非接触ＩＣタグを内蔵させたパイロン取付具の一部断面図、図６は、本発明の実施形態に係る駐車場運営システムのシステムブロック図、図７は、本発明の実施形態に係る駐車場運営システムの処理手順を示すフローチャートである。
【００１０】
本発明の実施形態に係る駐車場運営システムは、図１に示すように、不特定の利用者が有料で使用する有料駐車場、例えば種々のイベント等が開催される際に、一時的または短期間だけ簡易に設けられる臨時の有料駐車場（以下、駐車場１という。）に特に適する。
この駐車場１には、各車両が駐車するために区画された複数の駐車エリア２が設けられ、この駐車場１を利用する車両１２は、空いている駐車エリア２に自由に駐車する。
【００１１】
そして、この駐車場１の各々の駐車エリア２には、パイロン４が置かれ、このパイロン４には、非接触ＩＣタグ５を内蔵させたパイロン取付具６が取り外し可能な状態で設けられている。
このパイロン取付具６は、図２に示すように、略ドーナツ形状を有し、中央部付近に設けられた孔部６ａにより、パイロン４の先端上部から嵌め込むことで、図３に示すような状態で、パイロン４の略上方部分に取り外し可能に設置される。
【００１２】
これにより、一般的に市販されているパイロンを使用することで、駐車エリア２に置かれたパイロン４にパイロン取付具６を取り付けるだけで、大掛かりな設備を設けることなく簡単に本システムを導入することが可能となり、一時的に臨時に駐車場を設定し、その後にその駐車場が不必要となった際にもとの広場などに戻す場合にも、簡単にこれらの設営及び撤去作業を行うことができる。
【００１３】
駐車場１の所定箇所には、利用者の車両１２が駐車場１に入場する場所に入口受付７を設けると共に、利用者の車両１２が駐車場１から退場する場所に出口受付８が設けられている。
これらの入口受付７と出口受付８には、受付担当者がそれぞれ常駐し、入口受付７では、車両１２が入場する際に、利用者に対して車載装置９を渡し、また車両１２が退場する際に、利用者から車載装置９を回収する。
【００１４】
また、この車載装置９は、管理センター１０に設置されているホストコンピュータ１１との間で無線通信が可能になっている。
【００１５】
パイロン４にパイロン取付具６で取り外し可能な状態で設けられている非接触ＩＣタグ３は、図４に示すように、通常は金属層を積層した紙やプラスチック基材にアンテナ用のコイルパターンからなる送受信手段３３を金属層にエッチング形成し、記憶手段３２ａ及び制御手段３２ｂを有するＩＣチップ３２を接続することにより形成できる。
ＩＣチップ３２の記憶手段３２ａのメモリー容量が１キロビットであれば、１２８文字の記録ができる。
非接触ＩＣタグ３の記憶手段３２ａに予め記憶させる事項としては、各々の非接触ＩＣタグ３毎に異なるＩＤコード等からなるＩＤ情報が記憶されている。
【００１６】
この非接触ＩＣタグ３は、非接触データキャリアやＦＲ−ＩＤともいわれ、プラスチック等の基材３１にコイルパターン３３を形成し、当該コイルと容量素子とにより共振回路を形成して一定周波数の電波を受信し送信することができるように構成されている。
また、他の方式として、リーダライタである車載装置９からの搬送波の電磁誘導により、電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は導通部材３４により基材３１の裏面でジャンピング回路を形成してコイル接続端子３３ＣによりＩＣチップ３２の裏面のバンプに接続している。
【００１７】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
その大きさも３０ｍｍ×３０ｍｍ程度以下のサイズとすることができる。
【００１８】
非接触ＩＣタグ３に使用する樹脂基材３１としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１９】
これらの記録した情報の読み取りは、非接触ＩＣタグ３対して共振する呼び出し信号を発信し、数ｃｍから数十ｃｍの距離でタグからの応答信号を読み、且つタグに記録することができ、無線により非接触ＩＣタグ３の記憶手段３２ａに記憶されたＩＤ情報を読み取ることができる。
【００２０】
また、図５には、非接触ＩＣタグを内蔵させたパイロン取付具の一部断面図が示されているが、非接触ＩＣタグ３をパイロン取付具６の２枚の基材片３５ａ，３５ｂの間に挟み込むことで、外部から保護させた状態で内蔵することで、風雨などの影響で故障するのを防ぐことができるので好ましい。
【００２１】
次に、図６に基づいて、本発明の実施形態に係る駐車場運営システムのシステム構成について説明する。
非接触ＩＣタグ３には、記憶手段３２ａ、制御手段３２ｂ、送受信手段３３が設けられ、利用者に貸し出す車載装置９には、非接触ＩＣタグ３の記憶手段３２ａに記憶されたＩＤ情報を受信する送受信手段１３、記憶手段１４、ホストコンピュータ１１と通信を行う通信手段１６が設けられている。
【００２２】
また、ホストコンピュータ１１には、車載装置９と通信を行うための通信手段１８、表示手段１９、記憶手段２０、駐車エリア情報データベース２１、制御手段２２が備えられている。
駐車エリア情報データベース２１には、該駐車エリア２に設けられている非接触ＩＣ媒体３のＩＤ情報と、駐車エリア２を特定する駐車エリア特定情報と、該駐車エリアの使用状況情報と、が関連付けられて登録される。
【００２３】
次に、本発明の実施形態に係る駐車場運営システムの処理手順を図７のフローチャートに基づいて説明する。
まず、駐車場１の利用者は、入口受付７において受付担当者から車載装置９を受け取る。（ステップＳ１）
図１で示すように、駐車場１に区画されて設けられた複数の駐車エリアには、駐車エリア毎に例えばＡ〜Ｆまでのコードが定められていて、利用者は、空いている駐車エリアを見つけ自由に車両を駐車させる。（ステップＳ２）
【００２４】
駐車エリアに車両１２が駐車されると、車載装置９が駐車エリア２に置かれているパイロン４に設けられている非接触ＩＣタグ３から、ＩＤ情報を読み取り、記憶手段にそのＩＤ情報を記憶させる。（ステップＳ３）
更に、読み取ったＩＤ情報をホストコンピュータ１１に送信すると共に、記憶手段１４に記憶させる。（ステップＳ４）
【００２５】
そして、ＩＤ情報を受信したホストコンピュータ１１では、駐車エリア情報データベース２１で、受信したＩＤ情報と関連付けられている駐車エリアの使用状況情報の記憶エリアが使用中であることを示す情報が登録される。（ステップＳ５）
これにより、「Ｂ」の駐車エリアが使用中であることを確認することができる。
【００２６】
また、車両１２が駐車場１から退場する際には、出口受付８の受付担当者に車載装置９を返却する。（ステップＳ６）
そして、この受付担当者は、回収した車載装置９に記憶されているＩＤ情報をホストコンピュータ１１に送信する。（ステップＳ７）
このＩＤ情報を受信したホストコンピュータ１１では、駐車エリア情報データベース２１で、受信したＩＤ情報と関連付けられている駐車エリアの使用状況情報の記憶エリアに対して、使用から不使用を示す情報が更新登録される。（ステップＳ８）
これにより、「Ｂ」の駐車エリアが空き状態になったことを確認することができる。
【００２７】
以上の処理により、ホストコンピュータ１１の駐車エリア情報データベース２１には、随時に各駐車エリアが使用中であるのか、空き状態であるのかを確認することができる情報を一元化して収集し登録させることが可能となり、これらの情報を基に総合的な駐車場の管理を行うことができる。
【００２８】
【発明の効果】
以上説明したように、本発明の駐車場運営システムは、利用者に渡し、且つ回収する車載装置と、駐車場内の各駐車エリアに設けた非接触ＩＣ媒体を用いるので、種々のイベント等の開催などで一時的又は短期間だけ設けられる臨時駐車場でも、駐車エリアにおける車両の使用状況や空き状況状況をスムースに収集して、効率的な管理運営を行えるようにすると共に、これらのシステムを短時間で簡易に設営でき、臨時駐車場を止める場合にも簡単に取り除けるという効果がある。
更に、特に前記非接触ＩＣ媒体として非接触ＩＣタグを使用し、これをパイロンに設けることで、駐車場内の各駐車エリアに移動可能に置き、取り除きも簡単にできるので、臨時の駐車場を設けるのに適しているという効果がある。
【図面の簡単な説明】
【図１】本発明の実施形態に係る駐車場運営システムの全体レイアウト図である。
【図２】非接触ＩＣタグを内蔵させたパイロン取付具をパイロンにセットする前の状態を示す斜視図である。
【図３】非接触ＩＣタグを内蔵させたパイロン取付具をパイロンにセットした状態を示す斜視図である。
【図４】非接触ＩＣタグの例を示す平面図である。
【図５】非接触ＩＣタグを内蔵させたパイロン取付具の一部断面図である。
【図６】本発明の実施形態に係る駐車場運営システムのシステムブロック図である。
【図７】本発明の実施形態に係る駐車場運営システムの処理手順を示すフローチャートである。
【符号の説明】
１  駐車場
２  駐車エリア
３  非接触ＩＣタグ
４  パイロン
６  パイロン取付具
６ａ  孔部
７  入口受付
８  出口受付
９  車載装置
１０  管理センター
１１  ホストコンピュータ
１２  車両
３１  基材
３２  ＩＣチップ
３２ａ  記憶手段
３２ｂ  制御手段
３３  送受信手段
３３Ｃ  コイル接続端子
【図１】
2004164348.tif 000003
【図２】
2004164348.tif 000004
【図３】
2004164348.tif 000005
【図４】
2004164348.tif 000006
【図５】
2004164348.tif 000007
【図６】
2004164348.tif 000008
【図７】
2004164348.tif 000009